(57)【要約】      （修正有）【課題】イカ釣りをする際、掛け針がイカから抜けてしまう事で頻繁に発生する、イカの離脱を防止する為の機能を備えたイカ角を提供する。【解決手段】筒３に掛け針２を取り付け、筒３に疑似餌棒状部材１を挿入した構造である。疑似餌棒状部材１は筒３の内径より若干細くした外径に形成することで隙間が生じる。筒３は疑似餌棒状部材１に固定されておらず、疑似餌棒状部材１の範囲を自在に移動する事が可能である。疑似餌棒状部材１の一端に止め具キャップ４を取り付ける。又は、疑似餌棒状部材１の一端を筒３よりも太く加工する。【選択図】図１
2011092173.tif 000002
【特許請求の範囲】
【請求項１】
筒（３）に、掛け針（２）の尖端を突設し装着させ、筒（３）内に疑似餌棒状部材（１）を挿入し、さらには疑似餌棒状部材（１）の直径を筒（３）の内径以下の太さに形成し係合部位に隙間を設ける事により、疑似餌棒状部材（１）の一定範囲を、筒（３）が自在に移動する事を可能にしたイカ角。又、上記疑似餌棒状部材（１）の端を筒（３）の口径以上の太さに加工する、または端に止め具キャップ（４）を装着する事を特徴としたイカ角。
【発明の詳細な説明】
【技術分野】
【０００１】  本発明は、漁業、遊漁、全般における漁具に関し、さらに詳しくはイカ釣りの疑似餌として使用される、イカ角に関する。
【背景技術】
【０００２】  イカ釣りに使用される疑似餌としては、イカ角が主流である。その構造はプラスティック、合成樹脂等で作られ細長く鉛筆程の長さ太さを有し、さまざまな色に着色されその先端にカンナと呼ばれている掛け針を取り付け固定したものが一般的である。【０００３】  このイカ角を１メートル程の間隔で複数本糸で連結し下に錘を付けた仕掛けを海中へ投入する。イカはこの疑似餌を餌と間違え捕食しようとするために、先端の掛け針に引っ掛かり釣り上げる事ができる。【０００４】  魚の場合、口で餌を捕食するため針にカエシが設けてあるのに対し、イカは捕食するとき多くの足を使い餌に抱き付く習性がある。飲み込まれた針で釣り上げるのでなく、疑似餌に抱き付いたところを引っ掛けて釣り上げる。この時カエシまで針が刺さる事はほとんどないためにイカ角の掛け針にはカエシを設けていないことが一般的である。【０００５】  単にカエシの無い掛け針を使用し下方向からイカを引っ掛けて釣り上げる釣法では頻繁にイカが外れ離脱してしまう欠点が生じていた。イカ角の先端に取り付けた掛け針は１センチメートル程でありしかもイカを下方向から引っ掛けているだけの釣法である。この状態で一定の巻き上げ速度を保ちながら連結した仕掛けに上下の変動やショックを与えることなく釣り上げなければならない。イカ角に少しでも落下させてしまうショックを与えた場合、錘に引っ張られたイカ角の掛け針は容易にイカから抜けてしまいイカは外れ離脱してしまう。【０００６】  仕掛けに与える上下の変動に関して、常にある一定の速度で仕掛けを巻き上げている以上、ゆっくりとした大きな揺れであればイカ角に与えるショックは少なく、同時にイカが外れる可能性も少ない。しかし短い長さであっても急激なショックを与える落下では掛け針がイカから抜けてしまう事が格段に多く発生する。【０００７】  イカ釣りの場合、沖釣りが主流である為に船釣りが最も多く、船上での作業では波や風による船の揺れ足場の安定性など、仕掛けに上下の変動や下方向への急激なショックを与えず安定した釣り上げ作業を行うことは非常に困難である。【０００８】  イカ釣りでの釣果の向上はバラシの防止とも言われる程である。さまざまな種類のイカ角が流通しているが、疑似餌の先端に掛け針を取り付け固定した構造はどれも同じであり。イカ角自体にイカの離脱を防止する為の機能を設けたものはほとんど流通しておらず、掛ったイカを海中から釣り上げる際にイカが外れ離脱してしまう事は頻繁に発生し、釣果の向上はイカの離脱を防ぐ為の熟練した技術を必要とし、イカの脱落防止策が求められていた。
【発明の開示】
【発明が解決しようとする課題】
【０００９】  本発明は、以上の問題点を解消することを目的とし、従来からあるイカ角の形状、色彩、デザインを損なう事無く。掛け針がイカから抜けてしまう事で頻繁に発生するイカの離脱を防止する為の機能を備えたイカ角を提供することにある。
【課題を解決するための手段】
【００１０】  上述の目的を達成する為に本発明イカ角は、釣り上げ作業中、船の揺れ、竿、リール等の誤操作、不安定な足場などさまざまな原因から起こるイカ角に与える上下の変動や急激な落下のショックを緩和させ掛け針が抜けてしまうショックを軽減させる事を目的とした構造を特徴とする。【００１１】  図３に示す、従来からのイカ角においては疑似餌棒状部材（１）の先端に掛け針（２）が接着或いは糸で巻きつけるなどで固定されている為に図５に示すように仕掛けが落下すればイカ角、掛け針、は共に同時に落下してしまう。しかし本発明イカ角においては、図２に示すように筒（３）に掛け針（２）を取り付け、図１に示すように筒（３）に疑似餌棒状部材（１）を挿入した構造である。【００１２】  疑似餌棒状部材（１）は筒（３）の内径より若干細くした外径に形成することで隙間が生じる。掛け針（２）を取り付けた筒（３）は疑似餌棒状部材（１）に固定されておらず、図４に示すように疑似餌棒状部材（１）の範囲を自在に移動する事が可能である。疑似餌棒状部材（１）の端に止め具キャップ（４）を取り付ける。又は、疑似餌棒状部材（１）の端を筒（３）よりも太く加工する。
【発明の効果】
【００１３】  以上の事から本発明イカ角は、釣り上げ作業中仕掛けを一瞬落下させてしまうショックを与えた場合、イカ角は錘に引っ張られ落下するショックを受ける。この時イカ角の掛け針にはイカが掛っている、イカ角が下方向へ引っ張られると同時にイカには浮力の影響でそこに制止しようとする力が働きイカ角とイカはお互いに離反し合う。しかしイカに刺さった掛け針は疑似餌棒状部材に固定されていない為、筒の中を疑似餌棒状部材が移動し落下することになる。【００１４】  従来のイカ角であれば落下と同時に固定されている掛け針も落下する事でイカの離脱が頻繁に発生していた。しかし本発明イカ角の場合、掛け針は疑似餌棒状部材の一定範囲内を自在に上下移動するため、仕掛け全体の落下のショックを同時に掛け針に与えることは無く、掛け針は移動範囲内においてイカに刺さった状態を保ち、イカの離脱を防止する事が可能になる。【００１５】  従来からあるイカ角は、形状、色彩、デザインとイカの習性を熟知し改善されてきた製品である。本発明イカ角はその利点を損なう事無く、単純な構造で効果を発揮するものである。
【発明を実施する為の最良の形態】
【００１６】  以下本発明の実施の形態について説明する。従来からのイカ角は、疑似餌棒状部材（１）と掛け針（２）の部材から形成されているのに対し、本発明イカ角は疑似餌棒状部材（１）と掛け針（２）の係合部位に筒（３）を介する構造を特徴としたものである。
【００１７】  掛け針（２）は針の中心程を鋭角に折り曲げた形状をなし、針先尖端部を外側上向き状態にして疑似餌棒状部材（１）に接着あるいはナイロン製糸等により巻き付けるなどで締め付け固定するものである。しかし本発明イカ角は図２に示すように、この掛け針（２）を直接疑似餌棒状部材（１）に固定するのではなく筒（３）に固定したものである。
【００１８】  筒（３）の材質、形状は任意であり容易に形状が変形せず、掛け針（２）を固定できる材質が望ましくプラスティック、合成樹脂、アルミなどが適している。又は、プラスティック、合成樹脂で筒（３）を形成した場合は掛け針（２）を筒（３）に埋め込み取り付けることも可能である。
【００１９】  図１に示すように、掛け針（２）を取り付けた筒（３）の中に疑似餌棒状部材（１）を挿入する。疑似餌棒状部材（１）は筒（３）の内径より若干細くした外径に形成することで、図４に示すように筒（３）は疑似餌棒状部材（１）の範囲を自在に移動することが可能である。
【００２０】  筒（３）の中に疑似餌棒状部材（１）を挿入後、疑似餌棒状部材（１）の端に止め具キャップ」（４）を取り付ける事で、筒（３）が疑似餌棒状部材（１）から外れることを防ぐ事になる。又、疑似餌棒状部材（１）の端を筒（３）の内径より太く加工することも可能である。
【図面の簡単な説明】
【００２１】
【図１】  本発明イカ角、部材を取り付ける状態を示した斜視図
【図２】  本発明イカ角、筒（３）に掛け針（２）を固定した斜視図
【図３】  従来からのイカ角の斜視図
【図４】  本発明イカ角、筒（３）の移動方向を示した斜視図
【図５】  イカ角を連結した仕掛け図
【符号の説明】
【００２２】１    疑似餌棒状部材
２    掛け針
３    筒
４    止め具キャップ
５    糸
６    錘
【図１】
2011092173.tif 000003
【図２】
2011092173.tif 000004
【図３】
2011092173.tif 000005
【図４】
2011092173.tif 000006
【図５】
2011092173.tif 000007